(57)【要約】【課題】品質の安定したタップ出しを行う回転機を提供する。【解決手段】ステータコア５とステータ巻線６を絶縁する巻枠７は、ステータ巻線６加工の途中で巻線を引き出すタップ出し用ハウジング９ａを有し、前記タップ出し用ハウジング９ａの外周壁近傍に凹部１９を構成するボス１８を形成し、ステータ巻線６を前記タップ出し用ハウジング９ａの第１切欠部２０に配置しかつ前記ボス１８の外周壁に沿って折返し前記凹部１９に前記ステータ巻線６をからげ配置し、巻線加工を再開し、巻き始め線２７を巻き始め線用ハウジング９ｃ内に配置し、電源とブラシユニット１０に夫々接続されるタブ８ａを有するポークイン端子８を前記タップ出し用ハウジング９ａ内に打ち込むことにより結線を終了するもので、タップ出し用ハウジング９ａではステータ巻線６は巻線テンションにより引っ張られ余分な巻線部が発生せず巻線クズの発生もない。【選択図】図２
2015213414.tif 000002
【特許請求の範囲】
【請求項１】
ステータコアとステータ巻線との間を絶縁する巻枠と、一方に電源と接続するタブを、他方にブラシユニットと接続するタブをそれぞれ有するポークイン端子を有し、前記ブラシユニット内のカーボンブラシと整流子を介してロータ巻線と接続される回転機において、前記巻枠は、前記ステータ巻線加工の途中で巻線を引き出すタップ出し用ハウジングを有し、
前記タップ出し用ハウジングには、第１切欠部と第２切欠部と、当該第１切欠部と第２切欠部との間に存在する中央壁部と、が形成されており、
前記ステータ巻線は、前記第１切欠部にはめ込まれた後に前記中央壁部の一端で略Ｕ字型に折り返され、続いて前記第２切欠部にはめ込まれ、
この状態で、前記ポークイン端子を前記タップ出し用ハウジング内に打ち込むことにより、前記ステータ巻線が前記ポークイン端子に固定される回転機。
【請求項２】
前記中央壁部に巻線半径以上のＲ部を設けた請求項１に記載の回転機。
【請求項３】
タップ出し用ハウジングの巻線が折り返しからげられるボスの外周端のエッジ部位置を反からげ側の位置よりも中心軸側にシフトした請求項１又は２に記載の回転機。
【請求項４】
ステータコアとステータ巻線との間を絶縁する巻枠を有し、
前記巻枠は角となる４つの領域夫々にスロット部を有し、
前記スロット部の内２つのスロット部間にコアティースを介在させ、且つ前記２つのスロット部は対向しない位置関係にあり、
前記２つのスロット部の内一方のスロット部には、巻き始め線を固定するための巻き始め線用ハウジングを形成し、他方のスロット部には、ステータ巻線を固定するためのタップ出し用ハウジングを形成し、
前記巻き始め線用ハウジングと同一のスロット部内に、ステータ巻線の巻き終り線を固定するための巻き終り線用ハウジングを形成し、
前記巻き始め線用ハウジングから延在するステータ巻線は、前記コアティースに巻かれた後に、前記タップ出し用ハウジングに固定され、続いて、再度前記コアティースに巻かれた後に、前記巻き終り線用ハウジングにて固定されている回転機。
【請求項５】
ステータコアとステータ巻線との間を絶縁する巻枠を有し、
前記巻枠は角となる４つの領域夫々にスロット部を有すると共に、前記角の内隣接する２つの角間にヨーク部を有し、
前記スロット部の内２つのスロット部間にコアティースを介在させ、且つ前記２つのスロット部は対向しない位置関係にあり、
前記２つのスロット部の内一方のスロット部には、巻き始め線を固定するための巻き始め線用ハウジングを形成し、他方のスロット部には、ステータ巻線を固定するためのタップ出し用ハウジングを形成し、
前記タップ出し用ハウジングに隣接するヨーク部に、巻き終り線を固定するための巻き終り線用ハウジングを形成し、
前記巻き始め線用ハウジングから延在するステータ巻線は、前記コアティースに巻かれた後に、タップ出し用ハウジングに固定され、続いて、再度前記コアティースに巻かれた後に、前記巻き終り線用ハウジングにて固定されている回転機。
【請求項６】
ステータコアとステータ巻線との間を絶縁する巻枠を有し、
前記巻枠は角となる４つの領域夫々にスロット部を有すると共に、前記角の内隣接する２つの角間にヨーク部を有し、
前記スロット部の内２つのスロット部間にコアティースを介在させ、且つ前記２つのスロ
ット部は対向しない位置関係にあり、
前記２つのスロット部の内一方のスロット部には、巻き終り線を固定するための巻き終り線用ハウジングを形成し、他方のスロット部には、ステータ巻線を固定するためのタップ出し用ハウジングを形成し、
前記タップ出し用ハウジングに隣接するヨーク部に、巻き始め線を固定するための巻き始め線用ハウジングを形成し、
前記巻き始め線用ハウジングから延在するステータ巻線は、前記コアティースに巻かれた後に、タップ出し用ハウジングに固定され、続いて、再度前記コアティースに巻かれた後に、前記巻き終り線用ハウジングにて固定されている回転機。
【請求項７】
請求項１〜６のいずれか１項に記載の回転機を搭載した電気掃除機。
【発明の詳細な説明】
【技術分野】
【０００１】
本発明は回転機及びそれを用いた電気掃除機に関するものである。
【背景技術】
【０００２】
従来、この種の回転機は、ロータに備えられた整流子と摺接するブラシユニットが備えられており、ブラシユニットにはステータ巻線の一端が接続され、ブラシユニットと整流子を介してロータ巻線とステータ巻線が通電される構成となっている。
【０００３】
回転機の組立作業性等を良くする為に、ステータ巻線の両端にタブ付端子を接続し、一端はブラシユニットに設けられた接続部と、他端は電源と接続する構成になっている（例えば、特許文献１参照）。
【０００４】
このタブ付端子と巻線の接続は溶着や半田付けで行われるが、回転機組立工程での作業性改善のため、近年ではタブ付端子に設けられたスリットに巻線を押し込むことで接続を実現するいわゆるポークイン端子を使用する事が一般的となっている（例えば、特許文献２参照）。
【先行技術文献】
【特許文献】
【０００５】
【特許文献１】特開２０１０−１４２００３号公報
【特許文献２】特開昭６３−９２２３８号公報
【発明の概要】
【発明が解決しようとする課題】
【０００６】
しかしながら、上記特許文献２に記載された従来の回転機の構成でステータ巻線のタップ出しを行う場合、巻線加工の途中で巻線を引き出し、ポークイン端子が打ち込まれるタップ出し用ハウジング内に配置したあと再度ハウジング内に配置する必要があるが、一般的なポークイン端子ではスリットが１つしかなく２本の巻線を接続することはできない。
【０００７】
また、スリットが並行に２箇所あり、２本の巻線を接続する特殊なポークイン端子もあるが、高価で大型化する欠点があった。また、２箇所のスリットを通る不要な巻線部はポークイン端子圧入後にカット除去する必要があり、作業工程が増加し、カットクズが発生するという課題があった。
【０００８】
本発明は、上記欠点に鑑みなされたもので、汎用性のある一般的ポークイン端子を使用し、不要巻線カット除去の必要なくタップ出しを行い、安価で巻線カットによる品質不良発生を防止した回転機及び、信頼性の高い電気掃除機を提供することを目的とする。
【課題を解決するための手段】
【０００９】
前記従来の課題を解決するために本発明の回転機は、ステータコアとステータ巻線との間を絶縁する巻枠と、一方に電源と接続するタブを、他方にブラシユニットと接続するタブをそれぞれ有するポークイン端子を有し、前記ブラシユニット内のカーボンブラシと整流子を介してロータ巻線と接続される回転機において、前記巻枠は、前記ステータ巻線加工の途中で巻線を引き出すタップ出し用ハウジングを有し、前記タップ出し用ハウジングには、第１切欠部と第２切欠部と、当該第１切欠部と第２切欠部との間に存在する中央壁部と、が形成されており、前記ステータ巻線は、前記第１切欠部にはめ込まれた後に前記中央壁部の一端で略Ｕ字型に折り返され、続いて前記第２切欠部にはめ込まれ、この状態
で、前記ポークイン端子を前記タップ出し用ハウジング内に打ち込むことにより、前記ステータ巻線が前記ポークイン端子に固定される回転機である。
本発明によれば、タップ出し用ハウジングではステータ巻線は巻線テンションにより引っ張られ、余分な巻線部を発生することなくタップ出しが行えるため、不要巻線カット工程が不要で、巻線クズ発生もなく、巻線クズによる巻線傷つけや挟み込みを防止でき信頼性の高い回転機を実現できる。また、汎用タブ付ポークイン端子を使用できるため、安価な回転機を実現できる。
【００１０】
また、本発明の電気掃除機は、上述した回転機を搭載したもので、安価で信頼性の高い電気掃除機を提供できる。
【発明の効果】
【００１１】
本発明の回転機は、ステータの巻枠に設けられたタブ付のポークイン端子のハウジングの外周部に凹部を設けるという簡単な方法で、特殊な端子を使用することなく、且つ、不要な巻線を切断することなく、タップ出しを行えるため、端子コストアップ防止、巻線材ロス低減、巻線カット工程廃止、巻線カットクズによる品質不良低減が実現でき、安価で高品質な回転機を提供できるもので、この回転機を電気掃除機の搭載することで、同じく安価で高品質の電気掃除機を提供することができる。
【図面の簡単な説明】
【００１２】
【図１】本発明の第１の実施の形態における回転機の断面図
【図２】同回転機（ステータ巻線は１本で簡易表記、ロータ巻線は省略）の部分斜視図
【図３】同回転機のタップ出し用ハウジング部の拡大斜視図
【図４】同タップ出し用ハウジングにステータ巻線を取り付けた状態を示す斜視図
【図５】本発明の第２の実施の形態における回転機（ステータ巻線は１本で簡易表記）の部分斜視図
【図６】本発明の第３の実施の形態における回転機（ステータ巻線は１本で簡易表記）の部分斜視図
【発明を実施するための形態】
【００１３】
第１の発明は、ステータコアとステータ巻線との間を絶縁する巻枠と、一方に電源と接続するタブを、他方にブラシユニットと接続するタブをそれぞれ有するポークイン端子を有し、前記ブラシユニット内のカーボンブラシと整流子を介してロータ巻線と接続される回転機において、前記巻枠は、前記ステータ巻線加工の途中で巻線を引き出すタップ出し用ハウジングを有し、前記タップ出し用ハウジングには、第１切欠部と第２切欠部と、当該第１切欠部と第２切欠部との間に存在する中央壁部と、が形成されており、前記ステータ巻線は、前記第１切欠部にはめ込まれた後に前記中央壁部の一端で略Ｕ字型に折り返され、続いて前記第２切欠部にはめ込まれ、この状態で、前記ポークイン端子を前記タップ出し用ハウジング内に打ち込むことにより、前記ステータ巻線が前記ポークイン端子に固定される回転機であり、タップ出し用ハウジングではステータ巻線は巻線テンションにより引っ張られ、余分な巻線部を発生することなくタップ出しが行えるため、不要巻線カット工程が不要で、巻線クズ発生もなく、巻線クズによる巻線傷つけや挟み込みを防止でき信頼性の高い回転機を実現できる。また、汎用タブ付ポークイン端子を使用できるため、安価な回転機を実現できる。
【００１４】
第２の発明は、特に第１の発明の中央壁部に巻線半径以上のＲ部を設けたもので、ハウジング外周コーナ部で凹部に配置するときにステータ巻線をスムーズに折り返すことが可能となり、より最短距離で巻線を構成することが可能で、信頼性の高い回転機を実現できる。
【００１５】
第３の発明は、特に、第１又は第２の発明のタップ出し用ハウジングの巻線が折り返しからげられるボスの外周端のエッジ部位置を反からげ側の位置よりも中心軸側にシフトしたもので、タップ出し用ハウジングの強度を大きく低下させることなく、ステータ巻線の折り返し位置を軸側へ移動でき、巻線折り返し部が外周側へ突出することなくからげが実現できるため、ステータのブラケットへ圧入する時にハウジングの位置を従来のままでも干渉を防止する事ができる。
【００１６】
第４の発明は、ステータコアとステータ巻線との間を絶縁する巻枠を有し、前記巻枠は角となる４つの領域夫々にスロット部を有し、前記スロット部の内、２つのスロット部間にコアティースを介在させ、且つ前記２つのスロット部は対向しない位置関係にあり、前記２つのスロット部の内一方のスロット部には、巻き始め線を固定するための巻き始め線用ハウジングを形成し、他方のスロット部には、ステータ巻線を固定するためのタップ出し用ハウジングを形成し、前記巻き始め線用ハウジングと同一のスロット部内に、ステータ巻線の巻き終り線を固定するための巻き終り線用ハウジングを形成し、前記巻き始め線用ハウジングから延在するステータ巻線は、前記コアティースに巻かれた後に、前記タップ出し用ハウジングに固定され、続いて、再度前記コアティースに巻かれた後に、前記巻き終り線用ハウジングにて固定されている回転機であり、巻き終り線と巻き始め線がねじれの位置になり、コイル全体でのレアショートを防止できる。またタップ位置がこのクロスオーバー部と逆側に存在するため、クロスオーバー部に影響を与えることなく、最短距離でタップ部の配線が行える。
【００１７】
第５の発明は、ステータコアとステータ巻線との間を絶縁する巻枠を有し、前記巻枠は角となる４つの領域夫々にスロット部を有すると共に、前記角の内隣接する２つの角間にヨーク部を有し、前記スロット部の内、２つのスロット部間にコアティースを介在させ、且つ前記２つのスロット部は対向しない位置関係にあり、前記２つのスロット部の内一方のスロット部には、巻き始め線を固定するための巻き始め線用ハウジングを形成し、他方のスロット部には、ステータ巻線を固定するためのタップ出し用ハウジングを形成し、前記タップ出し用ハウジングに隣接するヨーク部に、巻き終り線を固定するための巻き終り線用ハウジングを形成し、前記巻き始め線用ハウジングから延在するステータ巻線は、前記コアティースに巻かれた後に、タップ出し用ハウジングに固定され、続いて、再度前記コアティースに巻かれた後に、前記巻き終り線用ハウジングにて固定されている回転機であり、巻き終り線は巻き始め線とクロスオーバーしないため、巻線全体でのレアショートを防止できる。また、最短距離でタップ部の配線が行える。
第６の発明は、ステータコアとステータ巻線との間を絶縁する巻枠を有し、前記巻枠は角となる４つの領域夫々にスロット部を有すると共に、前記角の内隣接する２つの角間にヨーク部を有し、前記スロット部の内、２つのスロット部間にコアティースを介在させ、且つ前記２つのスロット部は対向しない位置関係にあり、前記２つのスロット部の内一方のスロット部には、巻き終り線を固定するための巻き終り線用ハウジングを形成し、他方のスロット部には、ステータ巻線を固定するためのタップ出し用ハウジングを形成し、前記タップ出し用ハウジングに隣接するヨーク部に、巻き始め線を固定するための巻き始め線用ハウジングを形成し、前記巻き始め線用ハウジングから延在するステータ巻線は、前記コアティースに巻かれた後に、タップ出し用ハウジングに固定され、続いて、再度前記コアティースに巻かれた後に、前記巻き終り線用ハウジングにて固定されている回転機であり、巻き終り線は巻き始め線とクロスオーバーしないため、巻線全体でのレアショートを防止できる。また、最短距離でタップ部の配線が行える。
【００１８】
第７の発明に係る電気掃除機は、第１〜第６の発明の回転機を搭載したもので、安価で信頼性の高い電気掃除機を提供できる。
【００１９】
以下、本発明の実施の形態について、図面を参照しながら説明する。尚、この実施の形態によって本発明が限定されるものではない。
【００２０】
（実施の形態１）
図１は、本発明の第１の実施の形態における回転機の断面図、図２は、同回転機の部分斜視図（ステータ巻線は１本で簡易表記、ロータ巻線は省略）、図３は、同回転機のタップ出し用ハウジング部の拡大斜視図、同タップ出し用ハウジングにステータ巻線を取り付けた状態を示す斜視図である。
【００２１】
図１〜４において、本実施の形態における回転機３０は所謂電動送風機で、電動機部３５及び送風部４０から構成されている。
【００２２】
先ず電動機部３５は、一端側を開口した有底筒状のブラケット１と、その開口した一端側に位置するフレーム２により閉塞されており、内部にステータ３及びロータ４が収納されている。次に送風部４０は、前記フレーム２に固定されるディフューザ１４と、ロータ４のシャフト１５に固定されたファン１６と、それらを覆いブラケット１に圧入固定されるファンケース１７から構成される。
【００２３】
ステータ３は、積層されたステータコア５の両端部にステータコア５とステータ巻線６を絶縁する巻枠７が設置され、巻枠７を介して巻線加工が施されている。巻枠７にはポークイン端子８を固定するタップ出し用ハウジング９ａが設置され、タップ出し用ハウジング９ａにはポークイン端子８が挿入されステータ巻線６と接続されている。ポークイン端子８のタブは、一方が電源と接続し、他方はブラケット１の外周側面に取り付けられたブラシユニット１０と接続し、ブラシユニット１０内のカーボンブラシ１１と整流子１２を介してロータ巻線１３とシリーズに接続される構成となっている。
【００２４】
本実施の形態における回転機３０は、図５に示すように、ステータコア５上に巻枠７が形成されており、この巻枠７は、ステータコア５の中央部分を除くようにして、左右両側のステータコア５上に形成されている。更に、図５に示すこの巻枠７の左右両側の辺（直線部分のみ）をヨーク部２８と称しており、巻枠７の４つの角の部分を本実施例装置ではスロット部２３と称している。尚、このスロット部２３は、直線部分であるヨーク部２８の一部を含んだ領域である。
図５の右上部分に存在する巻枠７には、タップ出し用ハウジング９ａが形成されている。図３は、このタップ出し用ハウジング９ａを拡大した斜視図である。図３に示すように、タップ出し用ハウジング９ａには、左右両側に垂直に上方へ延びている壁状のボス１８が形成されている。この２つのボス１８の間には、凹部１９が形成されている。
又、この凹部１９には図３の上から見た断面が略凹形状である、中央壁部５０が形成されている。この中央壁部５０と一方のボス１８との間には、ステータ巻線６を配置するための第１切欠部２０が形成されており、この中央壁部５０と他方のボス１８との間には、第２切欠部５１が形成されている。
図４は、タップ出し用ハウジング９ａにステータ巻線６を取り付けた状態を示す斜視図である。ステータ巻線６は、まず第１切欠部２０に挿入した後に、中央壁部５０のハウジング外周コーナ部２１で折り返し、第２切欠部５１に挿入される。ここで、ステータ巻線６は、あたかもＵ字形状となるように折り曲げられている。その後、ポークイン端子８をタップ出し用ハウジング９ａ内に打ち込むことにより、第１切欠部２０に配置されているステータ巻線６が、ポークイン端子８の切り欠き部分（図示せず）に嵌め合わさり、ポークイン端子８とステータ巻線６の結線が終了する。
【００２５】
上記構成により、タップ出し用ハウジング９ａ部ではステータ巻線６は巻線テンションにより引っ張られ、余分な巻線部を発生することなくタップ出しが行えるため、不要巻線
カット工程が不要で、巻線クズ発生もなく、巻線クズによる巻線傷つけや挟み込みを防止でき信頼性の高い回転機を実現できる。
【００２６】
又、汎用タブ付ポークイン端子を使用できるため、安価な回転機、及びそれを搭載する電気掃除機を実現できる。
【００２７】
また、本実施の形態では、タップ出し用ハウジング９ａのステータ巻線６がからげられるハウジング外周コーナ部２１とボス１８の軸側凹部１９を形成するエッジ部に巻線半径以上のＲ部２２を設けている。本構成により、ハウジング外周コーナ部２１で凹部１９にステータ巻線６を配置するときにステータ巻線６がスムーズに折り返すことが可能となり、より最短距離で巻線を構成することが可能で、信頼性の高い回転機を実現できる。
【００２８】
さらに、本実施の形態では、図３に示されるように、タップ出し用ハウジング９ａのステータ巻線６がからげられるハウジング外周コーナ部２１の外壁位置を反からげ側の外壁位置よりも中心軸側にステータ巻線６の径と同等以上シフトさせている。
【００２９】
本構成とすることで、タップ出し用ハウジング９ａの強度を大きく低下させることなく、ステータ巻線６の折り返し位置を軸側へ移動でき、巻線折り返し部２５が外周側へ突出することなくからげが実現できるため、ステータ３のブラケット１へ圧入する時にタップ出し用ハウジング９ａ位置を従来のままでも干渉を防止する事ができる。
【００３０】
（実施の形態２）
図５は、本発明の第２の実施の形態における回転機の部分斜視図である。尚上記実施の形態１における回転機と同一部品については、同一符号を用いてその説明を省略する。
【００３１】
本実施の形態における回転機は、図５に示されるように、図５左上に存在する巻枠７上、即ち、図５左上に存在するスロット部２３の領域に、巻き始め線２７を固定するための巻き始め線用ハウジング９ｃが形成されている。又、巻き始め線用ハウジング９ｃと同じスロット部２３領域内の、ヨーク部２８上には、ステータ巻線６の巻き終わり線２６を固定するための巻き終わり線用ハウジング９ｂが形成されている。一方、図５の右上に存在する巻枠７上、即ち、図５右上に存在するスロット部２３の領域に、ステータ巻線６を固定するための、タップ出し用ハウジング９ａが形成されている。
巻き始め線用ハウジング９ｃにステータ巻線６の先端である巻き始め線２７を固定した後に、ステータ巻線６をスロット部２３の壁面に沿って下方に下ろし、続いてそのステータ巻線６をコアティース２４の下部分で複数回巻きつけ、その後、タップ出し用ハウジング９ａ近傍のスロット部２３の壁面に沿って下から上に上げるように配置する。続いて、先ほど説明した順序により、ステータ巻線６をタップ出し用ハウジング９ａに固定する。その後、ステータ巻線６を、ヨーク部２８上面と略同じ平面上でコアティース２４に向けて延在させ、再度コアティース２４の上部分で複数回巻きつけ、ヨーク部２８上面と略同じ平面上でコアティース２４から巻き終わり線用ハウジング９ｂに向けて延在させ、最後にステータ巻線６を巻き終わり線用ハウジング９ｂに固定する。
【００３２】
上記構成により、巻き始め線２７と巻き終わり線２６がクロスすることなくステータ巻線６を配置することが可能であり、タップ部は巻き終わり線２６より高く位置することからクロスオーバーすることがないため、巻線全体でのレアショートを防止できる。又、タップ位置がこのクロスオーバー部と逆側に存在するため、クロスオーバー部に影響を与えることなく、最短距離でタップ部の配線が行える。
【００３３】
（実施の形態３）
図６は、本発明の第３の実施の形態における回転機の部分斜視図である。尚、上記実施
の形態における回転機と同一部品については、同一符号を用いてその説明を省略する。
【００３４】
本実施の形態における回転機は、図６に示されるように、ステータ巻線６の巻き始め線用ハウジング９ｃを図６の左上に位置するスロット部２３の領域に配置し、図６右上に存在するスロット部２３の領域にタップ出し用ハウジング９ａを形成している。又、図６右下に存在するヨーク部２８上に、ステータ巻線６の巻き終わり線２６を固定するための巻き終わり線用ハウジング９ｂが形成されている。
【００３５】
巻き始め線用ハウジング９ｃから延びているステータ巻線６は、図６右上のスロット部２３領域の壁面部分で下方に伸びており、ステータ巻線６はコアティース２４の下部分で複数回巻きつけられている。続いて、ステータ巻線６は上方に立ち上がり、ヨーク部２８上面と略同一平面上で巻き終わり線用ハウジング９ｂに向けて延在している。このように、
巻き始め線２７と巻き終わり線２６がクロスオーバーしないためコイル全体でのレアショートを防止できる。又、最短距離でタップ部の配線が行える。
尚、実施の形態３に関して以下の構成としても良い。例えば、図６の示す巻き終わり線用ハウジング９ｂの位置に、巻き始め線用ハウジング９ｃを配置し、一方、巻き始め線用ハウジング９ｃの位置に、巻き終わり線用ハウジング９ｂを配置する構成としても良い。
【００３６】
尚、上記実施の形態において、説明上、巻き始め巻き終りと言う表現を使用しているが、逆の巻き方をしても電気的に同じなので問題はなく、上記実施の形態によって本発明が限定されるものではない。
【００３７】
また、上記実施の形態における回転機３０を電気掃除機（図示せず）に搭載することにより、安価で信頼性の高い電気掃除機を提供できる。
【産業上の利用可能性】
【００３８】
以上のように、本発明にかかる回転機は、ステ−タ巻枠に設けられたハウジング形状の外周部に凹部を設けるという簡単な方法で、特殊な端子を使用することなく、且つ、不要巻線部発生なくタップ出しを行える。よって、安価で高品質な回転機、及びそれを搭載する電気掃除機を実現できる。又、本発明は電気掃除機用の電動送風機だけでなく、ステータに巻線を施す構成であれば、電動機であっても、発電機であっても適用が可能である。
【符号の説明】
【００３９】
１  ブラケット
２  フレーム
３  ステータ
４  ロータ
５  ステータコア
６  ステータ巻線
７  巻枠
８  ポークイン端子
８ａ  タブ
９ａ  タップ出し用ハウジング（ハウジング）
９ｂ  巻き終わり線用ハウジング（ハウジング）
９ｃ  巻き始め線用ハウジング（ハウジング）
１０  ブラシユニット
１１  カーボンブラシ
１２  整流子
１３  ロータ巻線
１４  ディフューザ
１５  シャフト
１６  ファン
１７  ファンケース
１８  ボス
１９  凹部
２０  第１切欠部
２１  ハウジング外周コーナ部
２２  Ｒ部
２３  スロット部
２４  コアティース
２５  巻線折り返し部
２６  巻き終わり線
２７  巻き始め線
２８  ヨーク部
５０  中央壁部
５１  第２切欠部
【図１】
2015213414.tif 000003
【図２】
2015213414.tif 000004
【図３】
2015213414.tif 000005
【図４】
2015213414.tif 000006
【図５】
2015213414.tif 000007
【図６】
2015213414.tif 000008